(57)【要約】【課題】排水凹部周縁部の残水を抑制することができる浴室を提供すること。【解決手段】基材は排水凹部の周縁部に上方に突出する堰部を有し、表面材は上面に排水凹部側の端部まで延び、上面の水を排水凹部側へ排水するための複数の排水溝を有し、表面材の排水凹部側の端面を堰部と所定距離離間させることで表面材の端部と堰部との間に保水溝を形成し、排水溝から流入した水の流れが堰部に遮られることで水を保水溝に保水できるように構成され、堰部は保水溝に保水されている水を排水凹部に排出するための排出溝を有し、堰部は表面材の排水凹部側の端部の排水溝の底面よりも上方まで延びている。【選択図】図５
2018159218.tif 000002
【特許請求の範囲】
【請求項１】
洗い場床と、
前記洗い場床に連続し、排水口を有する排水凹部と、を備え、
前記洗い場床は、
基材と、
前記基材の上面に設けられた表面材と、を有し、
前記基材は、
前記排水凹部の周縁部に上方に突出する堰部を有し、
前記表面材は、
上面に前記排水凹部側の端部まで延び、前記上面の水を前記排水凹部側へ排水するための複数の排水溝を有し、
前記表面材の前記排水凹部側の端面を前記堰部と所定距離離間させることで前記表面材の端部と前記堰部との間に保水溝を形成し、前記排水溝から流入した水の流れが前記堰部に遮られることで水を前記保水溝に保水できるように構成され、
前記堰部は、前記保水溝に保水されている水を前記排水凹部に排出するための排出溝を有し、
前記堰部は、前記表面材の前記排水凹部側の前記端部の前記排水溝の底面よりも上方まで延びていることを特徴とする浴室。
【請求項２】
前記堰部の上端は、前記表面材の前記排水凹部側の前記端部の凸部の上面よりも下方となるよう形成されている請求項１記載の浴室。
【請求項３】
前記排出溝は、前記保水溝の底面よりも下方まで延びている請求項１または２に記載の浴室。
【発明の詳細な説明】
【技術分野】
【０００１】
本発明の態様は、一般的に、浴室に関する。
【背景技術】
【０００２】
従来より、特許文献１のように、洗い場床面に様々な柄を持たせやすくするよう、洗い場床面に表皮を被せた洗い場床が知られている。
【先行技術文献】
【特許文献】
【０００３】
【特許文献１】特開２００９−２８２６５号公報
【発明の概要】
【発明が解決しようとする課題】
【０００４】
しかし、表皮は排水凹部の周縁部で切断されているため、表皮の排水溝の下流端には、表面張力の影響により残水が生じやすい。
【０００５】
本発明は、かかる課題の認識に基づいてなされたものであり、排水凹部周縁部の残水を抑制することができる浴室を提供することを目的とする。
【課題を解決するための手段】
【０００６】
第１の発明は、洗い場床と、前記洗い場床に連続し、排水口を有する排水凹部と、を備え、前記洗い場床は、基材と、前記基材の上面に設けられた表面材と、を有し、前記基材は、前記排水凹部の周縁部に上方に突出する堰部を有し、前記表面材は、上面に前記排水凹部側の端部まで延び、前記上面の水を前記排水凹部側へ排水するための複数の排水溝を有し、前記表面材の前記排水凹部側の端面を前記堰部と所定距離離間させることで前記表面材の端部と前記堰部との間に保水溝を形成し、前記排水溝から流入した水の流れが前記堰部に遮られることで水を前記保水溝に保水できるように構成され、前記堰部は、前記保水溝に保水されている水を前記排水凹部に排出するための排出溝を有し、前記堰部は、前記表面材の前記排水凹部側の前記端部の前記排水溝の底面よりも上方まで延びていることを特徴とする浴室である。
【０００７】
この浴室によれば、保水溝に保水された水によって排水溝の水が引き込まれやすくなるため、排水溝の下流端に水が残留し続けることを防止できる。保水溝内の水は排出溝を通じて排水凹部に流れるため、保水溝に水が残留し続けることもないため、排水凹部周囲の残水を抑制することもできる。
【０００８】
第２発明は、第１の発明において、前記堰部の上端は、前記表面材の前記排水凹部側の前記端部の凸部の上面よりも下方となるよう形成されている浴室である。
【０００９】
この浴室によれば、大量の水の排水時に堰部が排水の妨げとなることを大幅に抑制できる。
【００１０】
第３の発明は、第１または第２の発明において、前記排出溝は、前記保水溝の底面よりも下方まで延びている浴室である。
【００１１】
この浴室によれば、保水溝から排出溝への水の排出性能を高めることができる。
【発明の効果】
【００１２】
本発明の態様によれば、排水凹部周縁部の残水を抑制することができる浴室が提供される。
【図面の簡単な説明】
【００１３】
【図１】本発明の実施の形態にかかる浴室の洗い場床の模式的平面図である。
【図２】本実施形態にかかる洗い場床の構造を表す模式的断面図である。
【図３】図１におけるＡ部の拡大図である。
【図４】図３におけるＢ部の拡大図である。
【図５】（ａ）は図４におけるＡ−Ａ断面図であり、（ｂ）は図４におけるＢ−Ｂ断面図である。
【図６】本実施形態にかかる洗い場床の作用を説明するための模式的断面図である。
【発明を実施するための形態】
【００１４】
以下、本発明の実施の形態について図面を参照しつつ説明する。なお、各図面中、同様の構成要素には同一の符号を付して詳細な説明は適宜省略する。
【００１５】
図１は、本発明の実施の形態にかかる浴室の洗い場床１の模式的平面図である。
【００１６】
実施形態に係る浴室は、洗い場床１と、洗い場床１に連続し、排水口５を有する排水凹部２とを備える。洗い場床１の側方には、図示しない浴槽が配置されている。洗い場床１は、全体としては浅底のパン形状に形成されている。
【００１７】
洗い場床１の表面には排水凹部２が最も低くなるように排水勾配がつけられ、洗い場床１の表面上の水は排水勾配に沿って流れ、排水凹部２に集水される。具体的には、洗い場床１の表面には、それぞれ排水方向の異なる複数の勾配面が形成されている。各勾配面は、排水凹部２に向かって下り傾斜になっている。さらに、勾配面は、隣り合う勾配面と勾配面との間に谷として形成された稜線に向かっても下り傾斜となっている。各勾配面上の水は、排水凹部２及び稜線に向かって流れる。稜線自体も排水凹部２に向かって下り傾斜となっており、稜線に流れ込んだ水は稜線に沿って排水凹部２へと流れる。
【００１８】
図２は、本実施形態にかかる洗い場床１の構造を表す模式的断面図である。
【００１９】
洗い場床１は、支持体１１と、基材１３と、クッション層１２と、表面材１４と、を備える。基材１３の周囲には、図示しない浴室ユニットの壁材を載置可能な壁載せ部材７が設けられている。支持体１１は、長さ調整可能な支持脚１１２を有する。
【００２０】
基材１３は、支持体１１の上に設けられている。クッション層１２は、基材１３の上に設けられ、基材１３のクッション性（弾性）よりも高いクッション性を有する。表面材１４は、クッション層１２の上に設けられ、クッション層１２の硬度よりも高い硬度を有する。
【００２１】
図１に示すように、洗い場床１の概形は略矩形状に形成され、一対の長辺部４ａ、４ｂを有する。排水凹部２は、一方の長辺部４ｂ側に寄って配置されている。洗い場床１の表面において、排水凹部２の周縁部のうちの他方の長辺部４ａ側に位置する縁部２ａ近傍の領域が最も低くなっている。
【００２２】
図３は、図１におけるＡ部の拡大図である。  
図４は、図３におけるＢ部の拡大図である。図４は、洗い場床１の表面において最も低くなっている領域を表す。
【００２３】
図５（ａ）は、図４におけるＡ−Ａ断面図であり、図５（ｂ）は、図４におけるＢ−Ｂ断面図である。なお、図５（ａ）及び（ｂ）において、図２に示すクッション層１２の図示は省略している。
【００２４】
表面材１４は、洗い場床１の表面を構成する。その表面材１４の上面には、図３、４に示すように、複数の凸部２１と複数の排水溝２２が形成されている。凸部２１及び排水溝２２は表面材１４の表面全体にわたって形成されている。
【００２５】
複数の排水溝２２は、凸部２１の周囲を囲むように例えば格子状に形成されている。排水凹部２に向かう方向に延びた排水溝２２は、表面材１４における排水凹部２側の端部まで延びている。複数の排水溝２２は途切れることなく連続している。これら排水溝２２を通じて、凸部２１の間に流れ込んだ水を排水凹部２まで途切れることなくゆっくりと排水することが可能となっている。
【００２６】
図５（ａ）及び（ｂ）に示すように、基材１３は、基材本体１５と排水ピット１６とを有する。排水ピット１６は排水凹部２に嵌め込まれている。図５（ａ）及び（ｂ）では、基材本体１５と排水ピット１６が別体の例を表すが、基材本体１５と排水ピット１６は一体に形成されていてもよい。
【００２７】
排水ピット１６における排水凹部２の周縁部には、上方に突出する堰部１７が設けられている。排水凹部２の周縁部における少なくとも図１に示す縁部２ａ側に、堰部１７が設けられている。
【００２８】
堰部１７は、表面材１４の排水凹部２側の端部における排水溝２２の底面２２ａよりも上方まで延びている。堰部１７の上端１７ａは、表面材１４の排水凹部２側の端部における凸部２１の上面２１ａよりも下方となるよう形成されている。
【００２９】
表面材１４の排水凹部２側の端面１４ａを堰部１７と所定距離離間させることで、表面材１４の端部と堰部１７との間に保水溝１８を形成している。表面材１４の排水溝２２から流入した水の流れが堰部１７に遮られることで水を保水溝１８に保水できるように構成される。
【００３０】
堰部１７は、図３、図４、および図５（ｂ）に示すように、保水溝１８に保水されている水を排水凹部２に排出するための排出溝１９を有する。排出溝１９は、保水溝１８の底面よりも下方まで延びている。排出溝１９は保水溝１８とつながっている。
【００３１】
堰部１７および保水溝１８は、排水凹部２の前述した図１に示す縁部２ａに沿って連続している。排出溝１９は、堰部１７および保水溝１８の延在方向に対して直交している。図３に示すように、例えば２つの排出溝１９が、堰部１７および保水溝１８の延在方向に離間して配置されている。
【００３２】
図６は、本実施形態にかかる洗い場床１の作用を説明するための模式的断面図である。
【００３３】
本実施形態にかかる洗い場床１によれば、表面材１４の上面上の水は、排水溝２２に流れ込み、その排水溝２２内で連続した一時保水状態とされ、その状態を維持しつつ、前述した排水勾配により排水凹部２に向かって流れる。
【００３４】
そして、水の流れが堰部１７に遮られることで水１００を保水溝１８に保水できる。これにより、排水速度（排水性）が抑えられ、排水溝２２の下流側を流れる水が早期に途切れてしまうことを抑制できる。この結果、排水溝２２内で連続した水の一時保水状態を作り出すことができ、排水溝２２内の水を排出溝１９を通じて排水凹部２まで途切れることなくゆっくりと少しずつ流下させることができる。
【００３５】
また、保水溝１８に保水された水によって排水溝２２の水が引き込まれやすくなるため、排水溝２２の下流端に水が残留し続けることを防止できる。保水溝１８内の水は排出溝１９を通じて排水凹部２に流れるため、保水溝１８に水が残留し続けることもないため、排水凹部２周囲の残水を抑制することもできる。
【００３６】
表面材１４の上面上から排水凹部２へと水が連続してつながる一時保水状態が確実に維持されるようにし（排水凹部２まで通じる連続流水網が途中で途切れず）、表面材１４の上面や排水凹部２の周辺に取り残されてしまう残水の発生を抑制できる。この残水が少量であれば自然乾燥で翌日までには十分乾く。
【００３７】
堰部１７の上端１７ａは、表面材１４の排水凹部２側の端部の凸部２１の上面２１ａよりも下方となるよう、堰部１７の高さを制限している。そのため、浴室使用中における大量の水の排水時には、堰部１７は排水の妨げとならない。
【００３８】
排出溝１９の下端が、保水溝１８の底面と同じ高さであれば、保水溝１８に保水された水は排出溝１９を通じて排水凹部２に流れることができる。本実施形態のように、排出溝１９が保水溝１８の底面よりも下方まで延びる構成とすると、保水溝１８に保水されている水が排出溝１９へ流れやすくすることができ、保水溝１８から排出溝１９への水の排出性能を高めることができる。
【００３９】
図３、図４に示すように、排出溝１９は、排水凹部２に向かって（図３、図４において横方向に）延びる排水溝２２の延長線上から外れた位置に位置する。排出溝１９は、凸部２１に対向する位置に形成されている。
【００４０】
このため、排水溝２２から排出溝１９に直接向かう水の流れを抑制でき、保水溝１８での水の一時保水を妨げない。
【００４１】
保水溝１８内の水が最後に残水しづらくするために、図５及び図６に示すように、保水溝１８の底面は排出凹部２に向かって下り傾斜している。
【００４２】
また、排出溝１９内の水が排出されやすくなるように、図５（ｂ）に示すように、排出溝１９の底面も排出凹部２に向かって下り傾斜している。
【００４３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４４】
１ 洗い場床、  ２ 排水凹部、  ５ 排水口、  １３ 基材、  １４ 表面材、  １７ 堰部、  １８ 保水溝、  １９ 排出溝、  ２２ 排水溝
【図１】
2018159218.tif 000003
【図２】
2018159218.tif 000004
【図３】
2018159218.tif 000005
【図４】
2018159218.tif 000006
【図５】
2018159218.tif 000007
【図６】
2018159218.tif 000008